(57)【要約】【課題】本発明は、車両のための、特に自動車両のためのステアリングギヤモジュール（１２）に関する。【解決手段】プリント回路板（２０）およびコンタクトスライダ（２６）は、共通の予め取り付けられたユニット（１３）の一部であり、この予め取り付けられたユニットは、コンタクトスライダ（２６）が、スイッチユニットの、予め取り付けられたユニット（１３）との取付の際に、スイッチユニット（３６）の機構（３８）と可動に結合されるように、形成されている。
2007527094.tif 000002
【特許請求の範囲】
【請求項１】
車両のための、特に自動車両のためのステアリングギヤモジュール（１２）であって、ベースハウジング（１０）と、このベースハウジング（１０）に設けられ、作動機構に結合される機構（３８）を有する少なくとも１つのスイッチユニット（３６）と、前記ベースハウジング（１０）に設けられている少なくとも１つのプリント回路板（２０）と、このプリント回路板（２０）上で可動でありかつ前記スイッチユニット（３６）の前記機構（３８）と可動に結合される少なくとも１つのコンタクトスライダ（２６）とを具備するステアリングギヤモジュール（１２）において、
前記プリント回路板（２０）および前記コンタクトスライダ（２６）は、共通の予め取り付けられたユニット（１３）の一部であり、この予め取り付けられたユニットは、前記コンタクトスライダ（２６）が、前記スイッチユニットの、前記予め取り付けられたユニット（１３）との取付の際に、前記スイッチユニット（３６）の前記機構（３８）と可動に結合されるように、形成されていることを特徴とするステアリングギヤモジュール（１２）。
【請求項２】
前記ベースハウジング（１０）の少なくとも複数の部分（１６，１８）が前記予め取り付けられたユニット（１３）の一部であることを特徴とする請求項１に記載のステアリングギヤモジュール（１２）。
【請求項３】
前記予め取り付けられたユニット（１３）は、前記プリント回路板（２０）を少なくとも部分的に覆うハウジング部分（１６，１８）を有することを特徴とする請求項１または２に記載のステアリングギヤモジュール（１２）。
【請求項４】
前記予め取り付けられたユニット（１３）には、前記コンタクトスライダ（２６）を位置決めするための複数のロック手段（３２）が設けられていることを特徴とする請求項１ないし３のいずれか１に記載のステアリングギヤモジュール（１２）。
【請求項５】
前記スイッチユニット（３６）は、前記予め取り付けられたユニット（１３）との取付の際に前記ロック手段（３２）をロック解除する複数のロック解除手段（４４）を有することを特徴とする請求項４に記載のステアリングギヤモジュール（１２）。
【請求項６】
前記ロック手段（３２）は、前記コンタクトスライダ（２６）に作用するロック用舌部として形成されていることを特徴とする請求項４または５に記載のステアリングギヤモジュール（１２）。
【請求項７】
前記ロック解除手段（４４）は、ピン状の突起部として、前記予め取り付けられたユニット（１３）との取付の際に前記ロック用舌部（３２）を逸らしかつ前記コンタクトスライダ（２６）を解除するように、形成されていることを特徴とする請求項４ないし６のいずれか１に記載のステアリングギヤモジュール（１２）。
【請求項８】
前記予め取り付けられたユニット（１３）および前記スイッチユニット（３６）は、相互にかつ正確な位置で取り付けるための複数の位置決め手段を有することを特徴とする前記すべての請求項のいずれか１に記載のステアリングギヤモジュール（１２）。
【請求項９】
前記コンタクトスライダ（２６）は、取付の際に前記機構（３８）のレバー（４４）の自由端と協働するように形成されている位置決め収容部（４２）を有することを特徴とする前記すべての請求項のいずれか１に記載のステアリングギヤモジュール（１２）。
【請求項１０】
前記スイッチユニット（３６）は、前記プリント回路板を収容する前記ベースハウジング（１０）に設けられていることができるスイッチハウジングを有することを特徴とする前記すべての請求項のいずれか１に記載のステアリングギヤモジュール。
【請求項１１】
前記予め取り付けられたユニット（１３）には、複数のスイッチユニット（３６）が、最終的に取り付けられた状態で、対応のスイッチハウジング（３７）に設けられていることを特徴とする前記すべての請求項のいずれか１に記載のステアリングギヤモジュール（１２）。
【発明の詳細な説明】
【技術分野】
【０００１】
本発明は、車両のための、特に自動車両のためのステアリングギヤモジュールであって、ベースハウジングと、このベースハウジングに設けられており、かつ作動機構に結合された機構を有する少なくとも１つのスイッチユニットと、ベースハウジングに設けられている少なくとも１つのプリント回路板と、このプリント回路板上で可動でありかつスイッチユニットの機構と可動に結合されている少なくとも１つのコンタクトスライダとを具備するステアリングギヤモジュールに関する。このようなステアリングギヤモジュールは車両のステアリングホイールの領域に設けられており、通常、複数のスイッチユニットを有する。例えば、制御レバーの形の作動機構によって作動されることができるスイッチユニットは、ターン・シグンル用スイッチ、増光用スイッチ、減光用スイッチ、ワイパー用スイッチ等のために形成されている。
【０００２】
このようなステアリングギヤモジュールの場合、取付が不都合であることが明らかになった。特に、コンタクトスライダをプリント回路板上に取り付けることは、問題であって、プリント回路板上には、通常、高感度の、電気的および／または電子的な構成要素が設けられている。コンタクトスライダを有するスイッチユニットの、プリント回路板上での取付は、非常に入念にかつ正確になされねばならない。そうでないと、プリント回路板にコンタクトスライダを打ち当てる際に、プリント回路板が損傷を受けることがある。特に、機能障害をもたらす割れ目がプリント回路板に生じることがある。
【発明の開示】
【発明が解決しようとする課題】
【０００３】
従って、簡単な方法で取り付けることが意図される、明細書導入部に記載のタイプのステアリングギヤモジュールを、提供するという課題が、本発明の基礎になっている。
【課題を解決するための手段】
【０００４】
上記課題は、明細書導入部に記載のタイプのステアリングギヤモジュールにおいて、プリント回路板およびコンタクトスライダが、共通の予め取り付けられたユニットの一部であり、この予め取り付けられたユニットは、コンタクトスライダが、スイッチユニットの、予め取り付けられたユニットとの取付の際に、スイッチユニットの機構と可動に結合されるように、形成されていることによって、解決される。このことによって、ステアリングギヤモジュールの取付の際に、プリント回路板上でのコンタクトスライダの打ち当てが生じないことが達成されることは好都合である。むしろ、コンタクトスライダは、プリント回路板を有する予め取り付けられたユニットの構成要素である。従って、コンタクトスライダを、スイッチユニットとは別に、プリント回路板に予め取り付けることができる。スイッチユニットの、予め取り付けられたユニットとの取付の際にはじめて、コンタクトスライダがスイッチユニットと可動に結合される。従って、スイッチユニットとの取付工程の際のプリント回路板の損傷は、生じることがない。
【０００５】
本発明では、ベースハウジングの少なくとも複数の部分が予め取り付けられたユニットの一部であることが提案されていることができる。従って、ベースハウジングまたはこのベースハウジングの複数の部分は、プリント回路板およびコンタクトスライダと共に、スイッチユニットとは別個に取扱可能な独自のサブアセンブリを形成する。
【０００６】
本発明の、本発明に係わる他の実施の形態では、予め取り付けられたユニットが、プリント回路板を少なくとも部分的に覆う複数のハウジング部分を有することが提案されている。このことによって、プリント回路板が、少なくとも部分的におよび好都合には全体的に、保護されるように覆われている。従って、プリント回路板における、またはプリント回路板上の電気的および／または電子的構成要素における損傷が防止される。
【０００７】
予め取り付けられたユニットにおけるコンタクトスライダの位置決めのためには、予め取り付けられたユニットに、複数の対応のロック手段が設けられていることは好都合である。これによって、プリント回路板上でのコンタクトスライダの望ましくない動きが不可能となる。
【０００８】
スイッチユニットの、予め取り付けられたユニットとの取付の際にロック手段をロック解除するために、スイッチユニットは、複数のロック解除手段を有することができる。この場合、これらのロック解除手段は、例えば、コンタクトスライダをロックする位置（Lager）から、ロック手段を逸らせる。それ故に、コンタクトスライダが解除される。
【０００９】
ロック手段は、自らの材料弾性の故に各々のコンタクトスライダに作用するロック用舌部として形成されていてもよい。ロック用舌部は、例えば、プリント回路板を囲繞するハウジング部分と一体的に形成されており、または、ハウジング部分に形成されていることができる。
【００１０】
ロック解除手段としては、予め取り付けられたユニットとの取付の際に、各々のロック用舌部を逸らしかつコンタクトスライダを解除するように形成されている、特に、ピン状の突起部が考えられる。ロック用舌部は、例えば、コンタクトスライダに接触するロック用開口部に係合することができる。
【００１１】
正確な位置での取付のために、本発明では、予め取り付けられたユニットおよびスイッチユニットが複数の位置決め手段を有することが考えられる。これらの位置決め手段によって、コンタクトスライダとの機構の可動な結合が保証されるように、２つのユニットを互いに嵌め込むことができる。
【００１２】
更に、コンタクトスライダは、取付の際に機構のレバーの自由端と協働するように形成されている位置決め収容部を有することができる。位置決め収容部によって、レバーの自由端は、取付の際に、コンタクトスライダと可動に結合される。
【００１３】
本発明の特に好ましい他の実施の形態は、スイッチユニットが、プリント回路板を収容するベースハウジングに設けられていることができるスイッチハウジングを有することを提案する。このことによって、一方では、コンタクトスライダを有しないスイッチユニットを、他方では、プリント回路板およびコンタクトスライダを有するベースハウジングを、夫々、別個の予め取り付けられたユニットとして取り扱うことができることが達成される。スイッチユニットが電子的および／または電気的構成要素を有さず、作動機構の移動を逸らす只１つの機構であって、最終的に取り付けられた状態で各々のコンタクトスライダと可動に結合されている機構を有することは好都合である。コンタクトスライダをスイッチユニットと可動に結合することによって、スイッチユニットとプリント回路板との間に追加の電気的な接続手段が省略される。
【００１４】
プリント回路板には、またはベースハウジングには、複数のスイッチユニットが、夫々固有のスイッチハウジングに設けられていることができる。この場合、各々のスイッチハウジングと、プリント回路板を収容するベースハウジングとは、夫々固有の、別々に取扱可能な予め取り付けられたユニットを形成することができる。
【００１５】
本発明の他の好都合な実施の形態および詳細は、以下の記載から読み取ることができる。図面に示した実施の形態を参照して、本発明を詳述する。
【発明を実施するための最良の形態】
【００１６】
図１には、図３および４で最終的に取り付けられた状態で示されている、本発明に係わるステアリングギヤモジュール（Lenkstockmodul）１２の、そのベースハウジング１０が示されている。ベースハウジング１０は、ステアリングコラムの図示しないチューブ用の中央の貫通孔１４を有する。ベースハウジング１０は２部構成で形成されており、第１のハウジング部分１６および第２のハウジング部分１８を有する。
【００１７】
特に図２および４から明らかなように、ベースハウジング１０は、複数の電子的および／または電気的構成要素を有するプリント回路板２０を収容する。図１では、プリント回路板２０は、ハウジング部分１８の複数の案内開口部２２，２４を通して部分的に認められる。
【００１８】
これらの案内開口部２２は湾曲状に形成されており、案内開口部２４は直線状に形成されている。案内開口部２２，２４は、夫々、図２，３及び４に明示される複数のコンタクトスライダ２６を案内するために用いられる。これらのコンタクトスライダ２６は、夫々、プリント回路板２０に向いた接点ばね２８と、各々の案内開口部２２，２４に位置している複数のガジオンピン状の案内部分３０とを有する。案内開口部２２，２４でのコンタクトスライダ２６の位置に応じて、種々の接点ばねがプリント回路板上で接触される。図１に示されたベースハウジングは、プリント回路板２０およびコンタクトスライダ２６と共に、本発明に係わるステアリングギヤモジュール１２の、別個に取扱可能な予め取り付けられたユニット１３を形成する。図１及び２に示された予め取り付けられたユニット１３に形成された案内開口部２２，２４におけるコンタクトスライダ２６の動きを防止するために、複数のロック手段３２が設けられている。
【００１９】
これらのロック手段３２は、ハウジング部分１８に形成されているロック用舌部として形成されている。図２からは、幾らか元に戻された状態でベースハウジング１０の内側に延びているロック用舌部３２が、コンタクトスライダ２６の収容部分３４に係合することが明らかになる。従って、コンタクトスライダ２６は、自らの予備取付位置で取着されており、案内開口部２２，２４において動かないようにロックされている。
【００２０】
図１及び２に示された予め取り付けられたユニット１３は、プリント回路板が、ハウジング部分１８によって、保護されるように覆われているという利点を有する。更に、プリント回路板と接触するコンタクトスライダ２６は、予備取付位置で、ロック手段３２によってロックされている。
【００２１】
ステアリングギヤモジュール１２を取り付けるために、図３及び４に示された複数のスイッチユニット３６が、ハウジング部分１８に装着される。スイッチユニット３６は、各々のスイッチハウジング３７に設けられたスイッチ機構３８を有する。このスイッチ機構は、各々のスイッチユニット３６を、予め取り付けられたユニット１３に設ける際に、コンタクトスライダ２６と可動に結合される。可動に結合するために、スイッチ機構３８は複数のレバー４０を有する。これらのレバーは、複数の案内部分３０の間に位置しておりかつコンタクトスライダ２６に接触する位置決め収容部４２に係合する。
【００２２】
スイッチユニット３６は、図３に見るように、複数のピン状のロック解除手段４４を有する。これらのロック解除手段は、予め取り付けられたユニットとの取付の際に、各々のロック用舌部３２を逸らし、対応のコンタクトスライダ２６を解除する。この場合、コンタクトスライダ２６は、各々の案内開口部２２，２４において、レバー４０の動きに従う。これらのレバーは、作動機構によって、各々の機構３８を介して逸らされる。
【００２３】
取付を容易にするために、予め取り付けられたユニット１３および複数のスイッチユニット３６には、詳細に示されない位置決め手段が設けられている。
【００２４】
これらのスイッチユニット３６は、予め取り付けられたユニット１３と最終取付のために組み立てられる、別個に取扱可能な予め取り付けられたグループとして形成されている。従って、最終的取付の際のプリント回路板２０の損傷はあり得ない。
【００２５】
図４には、プリント回路板２０が見えるように、ハウジング部分１８は示されていない。図４には、都合３つのスイッチユニット３６が、予め取り付けられたユニット１３またはベースハウジング１０に設けられている。
【００２６】
スイッチユニット３６が電気的および／または電子的構成要素を有しないことは好都合である。スイッチユニット３６の一部である電気的構成要素は、予め取り付けられたユニット１３のプリント回路板２０上に位置している。従って、スイッチユニット３６と予め取り付けられたユニット１３との間の電気的な接続手段は省略される。
【００２７】
明細書および特許請求の範囲に記載されかつ図面に示されたすべての特徴は、単独でもまたは互いの任意の組合せでも、本発明に本質的である。
【図面の簡単な説明】
【００２８】
【図１】本発明に係わるステアリングギヤモジュールのベースハウジングの下側の図を示す。
【図２】図１に示すベースハウジングの部分断面図を示す。
【図３】図１および２に示すベースハウジングに設けられているスイッチユニットの部分断面図を示す。
【図４】取付の済んだステアリングギヤモジュールの部分透視図を示す。
【図１】
2007527094.tif 000003
【図２】
2007527094.tif 000004
【図３】
2007527094.tif 000005
【図４】
2007527094.tif 000006
【国際調査報告】
2007527094.tif 000007
2007527094.tif 000008
2007527094.tif 000009
2007527094.tif 000010